(57)【要約】【課題】    時計のサイズが増大したり、コストアップすることを防止でき、加えて、外観を向上させることができる時計の提供。【解決手段】スタートボタン５２および内部ボタン５１が（あるいはストップボタン６２および内部ボタン６１が）連動する構造において、外部に露出する必要がない内部ボタン５１や内部ボタン６１を隠蔽するにあたり、カバーガラス３９を保持するというガラス縁３２本来の機能に加えて、内部ボタン５１，６１を隠すためにガラス縁３２が兼用される。これにより、内部ボタン５１を隠すための他の部品が不要となるため、時計１Ａのサイズが増大せず、また、部品点数が増加しないのでコストアップすることもない。  さらに、内部ボタン５１，６１を隠すための部材を付加する場合のように、付加された部品によって外観デザインのバランスが崩れることもないので、外観を向上させることができる。【選択図】  図３
2006349505.tif 000002
【特許請求の範囲】
【請求項１】
時計のケースの内部に収容されるモジュールと、
前記モジュールに対して出没可能に設けられた第１のボタンと、
前記第１のボタンに当接可能に前記ケースに設けられ、外部からの押込により、前記第１のボタンを連動して押込可能な第２のボタンと、
前記ケースを含む外装部品に設けられ、かつ、前記第１のボタンを外部から隠す隠し部と、
を備えることを特徴とする時計。
【請求項２】
請求項１に記載の時計において、
前記ケースは、
前記第１のボタンが設けられる筒状の胴部と、
前記胴部の開口部に取り付けられ、かつ、前記第２のボタンが設けられたガラス縁と、
前記ガラス縁に周縁が保持されたカバーガラスとを含んで構成され、
前記隠し部は、前記ガラス縁に設けられる
ことを特徴とする時計。
【請求項３】
請求項１に記載の時計において、
前記ケースは、
前記第１のボタンおよび前記第２のボタンが設けられる筒状の胴部と、
前記胴部の開口部に設けられる裏蓋とを含んで構成され、
前記隠し部は、前記裏蓋に設けられる
ことを特徴とする時計。
【請求項４】
請求項１に記載の時計において、
前記ケースには、前記外装部品に含まれる装着用のバンドが取り付けられ、
前記バンドは、前記ケースに取り付けられる取付部品を有し、
前記隠し部は、前記取付部品に設けられる
ことを特徴とする時計。
【請求項５】
請求項１から請求項４のいずれかに記載の時計において、
前記第１のボタンおよび前記第２のボタンを、押込に対して押し戻す方向に向かって付勢する第１および第２の付勢手段を備え、
前記第１の付勢手段の付勢力は、前記第２の付勢手段の付勢力よりも小さい
ことを特徴とする時計。
【発明の詳細な説明】
【技術分野】
【０００１】
本発明は、時計に関する。
【背景技術】
【０００２】
従来、表示モードの切り替えやストップウォッチ、アラーム設定などの操作を行うための各種の押しボタンが設けられた時計が知られている。このような時計の押しボタンは、通常、時計のケースの側面に設けられて、側方から押込まれることが多い。
ここで、押しボタンの位置や押す方向についての自由度を持たせてデザインの幅を広げ、モデル展開を促進するために、ケースの側面に箱状のカバー部材を設け、このカバー部材に、第２の押しボタンを設けることが提案されている（特許文献１）。
この構成では、時計のモジュールに対して出没する第１の押しボタンに対して、前記第２のボタンを当接可能に配置しているので、第２の押しボタンの押込操作によって第１の押しボタンが連動して出没する。これらの第１のボタンおよび第２のボタンの連動部分は、カバー部材の内部に隠されている。
【０００３】
【特許文献１】特公平４−３２５号公報
【発明の開示】
【発明が解決しようとする課題】
【０００４】
しかしながら、特許文献１のようにカバー部材を用いた構成では、第２のボタンを保持し、第１および第２の各ボタンの連動部分を被覆するためだけに用いられるカバー部材が必要となるため、部品点数が増えてコストアップしてしまうという問題があった。
また、カバー部材は、ボタンが配置される部分のみに設けられてカバー部材がケースから張り出すように取り付けられるため、時計のサイズが増大したり、デザイン上のバランスがくずれ、外観デザインを意識した構成であるにも関わらず、かえって外観が損なわれる場合がある。
さらに、カバー部材をケースの側面に取り付けた場合、ケースの胴部とカバー部材との境界線が時計の表面に表れてしまうことも、外観を損なう一因となる。
【０００５】
このような問題に鑑みて、本発明の目的は、時計のサイズが増大したり、コストアップすることを防止でき、加えて、外観を向上させることができる時計を提供することにある。
【課題を解決するための手段】
【０００６】
本発明の時計は、時計のケースの内部に収容されるモジュールと、前記モジュールに対して出没可能に設けられた第１のボタンと、前記第１のボタンに当接可能に前記ケースに設けられ、外部からの押込により、前記第１のボタンを連動して押込可能な第２のボタンと、前記ケースを含む外装部品に設けられ、かつ、前記第１のボタンを外部から隠す隠し部と、を備えることを特徴とする。
【０００７】
ここで、本発明において外装部品とは、時計の外部に露出する部品全般を言い、それぞれに、モジュール（時計体、ムーブメント）を保護したり、モジュールで計時された時分などを表示、あるいはその表示を補助したり、携帯する際に用いられる、などの機能を果たしており、具体的には、ケース、ベゼル、バンドなどを挙げることができる。
【０００８】
この発明によれば、第１のボタンと第２のボタンとが連動する構造において、外装部品がモジュール保護等の本来的な機能に加えて、外部に露出する必要がない第１のボタンを隠蔽するために兼用される。このため、第１のボタンを隠すための専用のカバー部材が不要となるため、時計のサイズが増大せず、また、部品点数が増加しないのでコストダウンを図ることができる。
さらに、第１ボタンを隠すためのカバー部材を別途付加する場合のように、付加された部品によって外観デザインが制約されることがないので、外観を向上させることができる。
【０００９】
本発明の時計では、前記ケースは、前記第１のボタンが設けられる筒状の胴部と、前記胴部の開口部に取り付けられ、かつ、前記第２のボタンが設けられたガラス縁と、前記ガラス縁に周縁が保持されたカバーガラスとを含んで構成され、前記隠し部は、前記ガラス縁に設けられることが好ましい。
【００１０】
例えば、筒状の胴部の外周面に第１のボタンを露出させ、ガラス縁の隠し部を前記胴部の外周面を被覆するように形成すればよい。
この発明によれば、第１のボタンが設けられる胴部とは別体であるガラス縁に第２のボタンが設けられるため、ガラス縁を胴部から取り外した状態で、前記第１のボタンを胴部に容易に組み込むことができるとともに、ガラス縁を胴部に取り付け、前記隠し部により第１のボタンを隠蔽できる。
ここで、第２のボタンは、例えば、ガラス縁の表面側に露出するように設けることができ、その押込方向は、例えば、時計の厚み方向に沿う方向とすることができる。
【００１１】
本発明の時計では、前記ケースは、前記第１のボタンおよび前記第２のボタンが設けられる筒状の胴部と、前記胴部の開口部に設けられる裏蓋とを含んで構成され、前記隠し部は、前記裏蓋に設けられることが好ましい。
【００１２】
例えば、筒状の胴部の側面に前記第１のボタンを挿入配置するための貫通孔を形成し、前記裏蓋の端縁部に前記胴部の側面側まで延長されて前記貫通孔の開口を被覆する隠し部を形成すればよい。
この発明によれば、第１のボタンと第２のボタンとが別々の部品にではなく、共に胴部に設けられるため、これらの第１、第２のボタン同士の位置決め精度を向上させることができる。
また、裏蓋の周縁を胴部の側面に沿って立ち上げることなどで、第１のボタンの隠し部を容易に形成することが可能となる。
【００１３】
本発明の時計では、前記ケースには、前記外装部品に含まれる装着用のバンドが取り付けられ、前記バンドは、前記ケースに取り付けられる取付部品を有し、前記隠し部は、前記取付部品に設けられることが好ましい。
【００１４】
例えば、筒状の胴部の側面に前記第１のボタンを挿入配置するための貫通孔を形成し、前記バンドの取付部品（エンドピース）で前記貫通孔の開口を被覆する隠し部を形成すればよい。
この発明によれば、バンドのケースへの取付部品は、ケース側面に対向して配置され、ケース側面に設けられた開口から露出する第１のボタンを隠すように形成することが容易であるから、隠し部を設ける部材として、バンドの取付部品を好適に利用できる。
【００１５】
本発明の時計では、前記第１のボタンおよび前記第２のボタンを、押込に対して押し戻す方向に向かって付勢する第１および第２の付勢手段を備え、前記第１の付勢手段の付勢力は、前記第２の付勢手段の付勢力よりも小さいことが好ましい。
【００１６】
この発明によれば、押込みが解除された際に、付勢手段の付勢力が大きい第２のボタンの方が第１のボタンよりも元の位置への移動量が大きく、第１、第２のボタンが押し戻される際に互いに干渉しないことから、磨耗を防止することができる。
なお、付勢手段としては、コイルばねやゴムなどの任意のものを使用できる。
【発明の効果】
【００１７】
本発明によれば、第１のボタンおよび第２のボタンが連動する構造において、時計自体の構成に必要な外装部品が第１のボタンを隠すために兼用されるため、時計のサイズが増大したり、コストアップすることがない。加えて、第１の部材を隠すために付加された部品によって外観デザインが損なわれることもないから、外観を向上させることが可能となる。
【発明を実施するための最良の形態】
【００１８】
〔第１実施形態〕
以下、本発明の実施の第１実施形態を図面に基づいて説明する。
図１は、本実施形態における時計１Ａの外観図である。
時計１Ａは、モジュール２と、このモジュール２を収容する外装部品としてのケース３と、装着用のバンド４とを備えた腕時計（ウォッチ）である。時計の種類は、クォーツ時計、機械式時計、電子制御式機械時計のいずれでもよいが、本実施形態の時計１Ａは、アナログクォーツ時計として構成されている。
なお、モジュール２に取り付けられたりゅうず１２は通常、３時方向に配置されるが、時計１Ａでは６時方向に配置されており、これは、モジュール２を通常の配置に対して９０°回転させていることによる。
【００１９】
この時計１Ａは、計時開始時からの経過時間を計測するストップウォッチ機能を備え、文字板１１の９時方向および３時方向には、それぞれ分計、秒計であるインダイアル１１１，１１２がそれぞれ設けられている。これらのインダイアル１１１，１１２では、経過した分および秒を表示するＣＧ（クロノグラフ）分針１１１Ａ、およびＣＧ秒針１１２Ａがそれぞれ配置されている。
また、ストップウォッチ操作を行うために、ケース３の表側には、りゅうず１２を挟んだ位置に、計測を開始するスタートボタン５２、および１回押すと計測を停止し、２回押すと計測タイムをリセットするストップボタン６２がそれぞれ設けられている。
【００２０】
図２は、図１のII−II線での時計１Ａの側断面図である。この図２では、モジュール２を２点鎖線で示した。
モジュール２には、文字板１１、秒針１３１、分針１３２、時針１３３、ＣＧ分針１１１ＡおよびＣＧ秒針１１２Ａ（図１）がそれぞれ設けられている。また、文字板１１の周縁には、リング状の見切板１１６が配置されている。
ケース３は、ステンレス鋼、ブラス（黄銅、真鍮）、チタン等の金属により、平面視円形状に形成され、筒状の胴部３１と、この胴部３１の一方の開口部３１１に設けられるカバーガラス３９と、カバーガラス３９の周縁を保持する環状のガラス縁３２と、胴部３１の他方の開口部３１２にパッキンが介装されて設けられる裏蓋３３とを有して構成されている。
【００２１】
図３には、胴部３１およびガラス縁３２を分解した状態で示した。また、図４は、図２の要部拡大図である。
図３に示すように、胴部３１の側面３１３に突出するりゅうず１２の両側には、凹部３１５，３１６がそれぞれ形成され、これらの凹部３１５，３１６は、胴部３１の外周側と時計１Ａの表側との両方に開放するように形成されている。
【００２２】
凹部３１５周辺の胴部３１の構成としては、図４に示すように、凹部３１５を通じてケース３内側に貫通する孔３１４が形成されているとともに、胴部３１外周側に突出する突出部３１５Ａ，３１５Ｂが形成されている。これらの突出部３１５Ａ，３１５Ｂのうち、時計１Ａ裏側の突出部３１５Ｂは、裏蓋３３とガラス縁３２との間を延出している。一方、表側の突出部３１５Ａは、突出部３１５Ｂよりも延出寸法が小さく、胴部３１とガラス縁３２との間は空隙ＳＰとなっている。
なお、凹部３１６についても、凹部３１５と同様に形成されている。
【００２３】
一方、ガラス縁３２は、図３に示すように、胴部３１の開口部３１１に被せるように配置されるフェース部３２１と、フェース部３２１から時計１Ａの裏面側に延びて胴部３１の側面３１３外周全体を覆う側面部３２２とを有する。側面部３２２には、りゅうず１２を逃がすＵ字状の切欠３２２Ａが形成されている。
【００２４】
フェース部３２１の表面は、スタートボタン５２およびストップボタン６２がそれぞれ設けられる部分が扇状に段落ち形成され、この部分はそれぞれ、ボタン配設部３２１１，３２１２となっている。
ボタン配設部３２１１には、図４に示すように、スタートボタン５２が配置される段付き孔３２１１Ａが時計１Ａの厚み方向に沿って貫通形成されている。
なお、ボタン配設部３２１２にも、図示しないが、このような段付き孔３２１１Ａと同様の孔が形成され、この孔にストップボタン６２が配置されている。
【００２５】
ここで、スタートボタン５２は、図４に示すように、モジュール２に設けられた第１のボタンとしての内部ボタン５１にケース３の内部で対向し、この内部ボタン５１を押込可能に位置している。すなわち、スタートボタン５２は、この内部ボタン５１を連動させる第２のボタンである。また、ストップボタン６２（図１）についても、スタートボタン５２と同様、第１のボタンとしての内部ボタン６１とケース３内部で対向し、この内部ボタン６１を連動して押込可能な第２のボタンとして構成されている。
これらの内部ボタン５１，６１は、胴部３１に形成された凹部３１５，３１６にそれぞれ配置されるとともに、胴部３１の側面３１３外周に沿って設けられたガラス縁３２の側面部３２２によって隠される。
すなわち、側面部３２２は、カバーガラス３９を保持するガラス縁３２の部分でありながら、内部ボタン５１，６１を隠す隠し部としても機能する。
【００２６】
内部ボタン５１は、モジュール２に対して出没可能に設けられた軸部５１１と、軸部５１１の一端側に設けられてスタートボタン５２に当接されるヘッド部５１２とを有する。
軸部５１１の一端側は、胴部３１の孔３１４に設けられ軸部５１１の出没動作をガイドするカップリング５１１Ａに挿通され、Ｃリング５１１Ｂによって抜け止めされている。
また、カップリング５１１Ａとヘッド部５１２との間には、内部ボタン５１を付勢する第１の付勢手段としてのゴム管５１３が設けられている。このゴム管５１３は、内部ボタン５１を胴部３１の内側から外側に向かう方向に付勢するとともに、軸部５１１の周りに密着し、ケース３の水密性を確保している。
【００２７】
ヘッド部５１２の時計１Ａ表面側には、胴部３１の内側から外周側へと向かう方向において、スタートボタン５２の位置から次第に遠ざかる斜面５１２Ａが形成されている。一方、ヘッド部５１２の時計１Ａの裏面側は、軸部５１１の軸方向に沿って延びる平面部５１２Ｂとなっており、平面部５１２Ｂは、胴部３１に形成された突出部３１５Ｂで支持される。
ヘッド部５１２の斜面５１２Ａの外周形状は、図４のV−V線矢視図である図５に示すように、時計１Ａの文字板１１（図１）中心近傍を中心とする円弧形状Ｒとなっている。
【００２８】
スタートボタン５２は、内部ボタン５１と略同様の構造であり、内部ボタン５１の軸部５１１およびヘッド部５１２と略同様の軸部５２１およびヘッド部５２２を有するが、これらの軸部５２１およびヘッド部５２２は、一体に成形されている。また、ヘッド部５２２は、内部ボタン５１のような斜面５１２Ａが形成されずに平面状に形成されており、研磨による鏡面、地模様、あるいはメッキなどで仕上げられている。
このスタートボタン５２の軸部５２１は、ガラス縁３２に形成された段付き孔３２１１Ａに挿通され、内部ボタン５１の軸方向と略直交する方向に沿って配置される。
【００２９】
このようなスタートボタン５２に設けられる第２の付勢手段は、ゴム管５１３よりも付勢力が大きいコイルばね５２３となっている。コイルばね５２３は、カップリング５２１Ａに設けられた受け座５２１Ｃと、ヘッド部５２２との間に配置されている。
なお、カップリング５２１Ａに設けられたパッキン５２１Ｄにより、スタートボタン５２がガタつかず、操作感が良好となっている。
【００３０】
一方、ストップボタン６２（図１）についても、スタートボタン５２と同様、第１のボタンとしての内部ボタン６１とケース３内部で対向し、この内部ボタンを連動して押込可能な第２のボタンとして構成されている。
これらのストップボタン６２および内部ボタン６１は、スタートボタン５２および内部ボタン５１と同様に構成されるため、その図示および説明を省略する。
【００３１】
以上説明した時計１Ａのスタートボタン５２および内部ボタン５１の連動動作について、図４および図６を参照して説明する。
スタートボタン５２を押し込んでいない状態では、図４に示すように、スタートボタン５２の軸部５２１と内部ボタン５１のヘッド部５１２とは離間しているが、スタートボタン５２のヘッド部５２２を時計１Ａの厚み方向に沿って押し込むと、図６に示すように、スタートボタン５２の軸部５２１が内部ボタン５１のヘッド部５１２に形成された斜面５１２Ａに当接する。そして、スタートボタン５２を内部ボタン５１の斜面５１２Ａに沿って時計１Ａの裏面側に押し込むにつれて、胴部３１の突出部３１５Ｂ上を平面部５１２Ｂが案内され、内部ボタン５１の軸部５１１がモジュール２に向かって移動する。この内部ボタン５１の移動により、計時開始の操作信号がモジュール２に入力される。
すなわち、内部ボタン５１に形成された斜面５１２Ａをスタートボタン５２が摺動することにより、時計１Ａの厚み方向に沿ったスタートボタン５２の押込み方向が時計１Ａの平面方向に変換されて内部ボタン５１が連動することとなるため、ケース３の側面で操作する通常のボタン操作ではなく、時計１Ａの表側から操作することが可能となっている。
【００３２】
ここで、ゴム管５１３による付勢力がコイルばね５２３による付勢力よりも小さいことから、スタートボタン５２を押し込む際は、内部ボタン５１の反発力が小さく、スタートボタン５２への押圧力が内部ボタン５１へスムーズに伝達されて良好な押圧感が得られる。一方、スタートボタン５２の押込みが解除される際は、付勢力が大きいスタートボタン５２の方が内部ボタン５１よりも元の位置への移動量が大きいので、スタートボタン５２と内部ボタン５１とが、押し戻される際に互いに干渉することを回避できる。
【００３３】
また、内部ボタン５１の斜面５１２Ａ外周部は、円弧形状Ｒ（図５）であるため、胴部３１とガラス縁３２との組み立てに誤差が生じるなどして、内部ボタン５１の位置とスタートボタン５２との位置とが文字板１１の中心に対して回転方向にばらついた場合でも、スタートボタン５２が内部ボタン５１に確実に摺接する。したがって、スタートボタン５２の押込操作によって内部ボタン５１がモジュール２に対して問題なく押し込まれる。
なお、ストップボタン６２および内部ボタン６１の連動も、このようなスタートボタン５２および内部ボタン５１の連動と同様に行われる。
【００３４】
このような第１実施形態によれば、次のような効果がある。
（１）時計１Ａが有するスタートボタン５２および内部ボタン５１が（あるいはストップボタン６２および内部ボタン６１が）連動する構造において、外部に露出する必要がない内部ボタン５１や内部ボタン６１を隠蔽するにあたり、カバーガラス３９を保持するというガラス縁３２本来の機能に加えて、内部ボタン５１，６１を隠すためにガラス縁３２が兼用される。これにより、内部ボタン５１，６１を隠すための専用の部品が不要となるため、時計１Ａのサイズが増大せず、また、部品点数が増加しないのでコストダウンを図ることができる。
さらに、ガラス縁３２の側面部３２２は、胴部３１の側面３１３外周を囲んで文字板１１の中心に対して対称形状に設けられ、調和のとれた外観を呈するため、内部ボタン５１，６１を隠すための部材を別途付加する場合のように不恰好とならない。つまり、付加された部品によって外観デザインが制約されることがないので、外観を向上させることができる。
【００３５】
（２）また、時計のモデル開発を考えると、胴部の側面に内部ボタン５１，６１に相当する押しボタンが設けられた既存のモデルに対して、凹部３１５，３１６を有する胴部３１と、スタートボタン５２およびストップボタン６２が設けられ、かつ、側面部３２２を有するガラス縁３２とを用いることで、時計１Ａを提供できる。
すなわち、既存のモデルと共通のモジュールを用いることができ、外装部品のみを変更することで、内部ボタン５１，６１の押込方向と異なる方向から押込操作が可能なモデルを容易に実現できる。
さらに、スタートボタン５２およびストップボタン６２の位置を変えたり、押込方向を時計１Ａの平面方向や厚み方向、斜め方向など様々に変化させることにより、同じモジュールが使用されたデザイン違いのモデルを多数展開することが可能となる。
【００３６】
（３）内部ボタン５１，６１の外周部が文字板１１の略中心に対する円弧状に形成されているため、内部ボタン５１およびスタートボタン５２の相互の回転方向における位置のばらつきが吸収されてスタートボタン５２を内部ボタン５１に（あるいは内部ボタン６１およびストップボタン６２も同様に）確実に摺接させることが可能となる。
これにより、スタートボタン５２の押込操作によって内部ボタン５１を確実に押し込むことができる。
【００３７】
（４）そして、ゴム管５１３による付勢力がコイルばね５２３による付勢力よりも小さいことから、前述のように、スタートボタン５２を押し込む際、あるいは、スタートボタン５２への押し込みを解除する際に、胴部３１の内部で内部ボタン５１とスタートボタンとが擦れて磨耗することなどを防止できる。
【００３８】
〔第２実施形態〕
次に、本発明の第２実施形態について説明する。
なお、以下の説明では、既に説明した実施形態と同様の構成については、同一符号を付して、説明を省略もしくは簡略する。
第２実施形態は、第１実施形態で内部ボタン５１，６１を隠すのに使用したガラス縁３２を備えず、このガラス縁の代わりに、裏蓋を用いて内部ボタン５１，６１を隠す点が第１実施形態とは相違する。
【００３９】
図７は、本実施形態の時計１Ｂの外観図である。
本実施形態の時計１Ｂは、第１実施形態の時計１Ａ（図１）が平面略円形状であったのに対して、角に丸みを有する略矩形状であり、また、スタートボタン５２、ストップボタン６２やバンド４、りゅうず１２の形状、外観デザイン等が第１実施形態のものとは異なるが、基本的な構成は、第１実施形態の時計１Ａと同様に構成されている。
【００４０】
図８は、図７のVIII−VIII線による要部断面図である。なお、図８では、バンド４の図示は省略した。また、図９は、胴部７１および裏蓋７３の分解斜視図である。
本実施形態の外装部品であるケース７は、これらの図面に示すように、胴部７１と、胴部７１の開口部３１２を覆う裏蓋７３と、胴部７１の開口部３１１に設けられるカバーガラス３９とで構成されている。そして、スタートボタン５２および内部ボタン５１の両方が（ストップボタン６２および内部ボタン６１も同様に）胴部７１に設けられている。
【００４１】
胴部７１は、図９に示すように、スタートボタン５２が配置されるボタン配設部７１１１、およびストップボタン６２が配置されるボタン配設部７１１２を表面側に有するとともに、内部ボタン５１，６１がそれぞれ配置される凹部３１５，３１６を側面側に有する。
なお、胴部７１の側面７１３は、凹部３１５，３１６が形成された部分の間がセットバックするように形成され、このセットバック部７１３Ａから、巻き真１２１に取り付けられたりゅうず１２（図７）が外部に露出するようになっている。
【００４２】
胴部７１の内部において、ボタン配設部７１１１と凹部３１５との間の隔壁部７１２（図８）には、時計１Ｂの厚み方向に沿って貫通する孔７１２Ａが形成されている。この孔７１２Ａに、スタートボタン５２の軸部５２１が挿通される。
なお、このような孔７１２Ａと同様の孔が、ボタン配設部７１１２と凹部３１６との間にも形成され、この孔には、ストップボタン６２の軸部６２１が挿通されている。
【００４３】
一方、裏蓋７３は、図９に示すように、胴部７１の平面形状と同様の略矩形状であり、巻き真１２１の両側で胴部７１側に立ち上がる一対の起立片７３１を有する。これらの起立片７３１は、内部ボタン５１，６１を隠す隠し部として機能する。すなわち、裏蓋７３は、胴部７１の開口部３１２（図８）を覆ってモジュール２を保護するという本来の機能に加えて、内部ボタン５１，６１を隠すために兼用される。
これらの起立片７３１の間には、りゅうず１２（図７）の形状に応じて窪む凹部７３２が形成されている。
【００４４】
なお、各起立片７３１には、バンド４を取り付けるためのピンなどが挿通される孔７３１Ａが挿通され、これらの起立片７３１は、バンド４が取り付けられるカンとしての機能も有する。また、起立片７３１は、裏蓋７３の周縁から胴部７１の表面側へと傾斜するように形成されている。
【００４５】
このような第２実施形態によれば、第１実施形態の（１）、（２）、および（４）で述べた効果と略同様の効果を奏するほか、次のような効果を奏する。
（５）内部ボタン５１，６１とスタートボタン５２およびストップボタン６２とが別々の部品にではなく、共に胴部７１に設けられたため、これらのスタートボタン５２およびストップボタン６２と内部ボタン５１，６１との位置決め精度を向上させることができる。
このため、本実施形態においては、第１実施形態のように、内部ボタン５１の斜面５１２Ａ外周部を円弧形状Ｒ（図５）に形成しなくても（内部ボタン６１についても同様に）、スタートボタン５２と内部ボタン５１とを（あるいはストップボタン６２と内部ボタン６１とを）確実に摺接させることができる。
【００４６】
ただし、本実施形態では、図８に示すように、内部ボタン５１，６１のストロークに応じたスペースと、スタートボタン５２およびストップボタン６２を設けるためのスペースとを胴部７１に設けることが必要となり、内部ボタン５１を設ける位置が胴部７１の奥まった位置となるとともに、スタートボタン５２およびストップボタン６２が設けられるボタン配設部７１１１，７１１２などを胴部７１に形成することで、胴部７１が径方向に若干かさ張る。
これに対して、前記第１実施形態では、図４に示すように、内部ボタン５１，６１が設けられる部材（胴部３１）とスタートボタン５２，ストップボタン６２が設けられる部材（ガラス縁３２）とは別体であり、胴部３１外周の空隙ＳＰにおいて、スタートボタン５２およびストップボタン６２が内部ボタン５１，６１に当接される。つまり、内部ボタン５１，６１の組み込みの容易さ、および胴部７１の大径化を回避するという点では、本実施形態よりも前記第１実施形態が好ましい。
【００４７】
〔第３実施形態〕
次に、本発明の第３実施形態について説明する。
本実施形態は、第２実施形態において、裏蓋７３に起立片７３１を形成しない代わりに、バンドのケースへの取付部品に内部ボタン５１，６１の隠し部を形成したものである。
【００４８】
図１０は、本実施形態の時計１Ｃの外観図であり、図１１は、時計１Ｃの３時方向からの側面図である。なお、図１１では、バンド８の図示は省略した。
時計１Ｃのバンド８は、複数の駒８１が組み合わせられて構成され、ケース９に取り付けるための取付部品としてのエンドピース８２をケース９の６時方向に有する。このエンドピース８２は、本実施形態における外装部品であって、図１１に示すように、胴部７１に当接され、凹部３１５に配置された内部ボタン５１を隠す（凹部３１６に配置された内部ボタン６１も同様に）隠し部として機能する。
【００４９】
エンドピース８２には、図１０に示すように、りゅうず１２が配置される凹部８２１が形成され、この凹部８２１の内部には、裏蓋９３（図１１）から立ち上がる取付片９３１が配置される。そして、この裏蓋９３の取付片９３１と、エンドピース８２の凹部８２１とには、バンド８の幅方向に沿って延びる孔８２２が同軸上に形成され、この孔８２２にピン８２３が挿通されることにより、バンド８の一端側がケース９に取り付けられている。
なお、バンド８の他端側は、ケース９の１２時方向に設けられたカン９４に取り付けられる。
【００５０】
このような第３実施形態によれば、前述の（１）、（２）、および（４）で述べた効果と同様の効果が得られる。
また、バンド８のエンドピース８２は、胴部７１に対向して配置されるため、胴部７１に設けられた内部ボタン５１，６１を隠すように形成することが容易であるから、隠し部を設ける部材として、バンド８のエンドピース８２を好適に利用できる。
【００５１】
なお、本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形および改良を加えることができるものである。
上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００５２】
例えば、前記各実施形態では、第１のボタンおよび第２のボタンが時計の側面および表面で、互いの軸方向が略直交するように配置されていたが、第１のボタンおよび第２のボタンの軸方向および交差角度はこれに限定されない。
【００５３】
また、第３実施形態のバンド８は複数の駒が連結されたものであったが、これに限らず、バンドは皮革製や樹脂製などの帯状のものであってもよい。どのようなバンドにせよ、ケースへの取付部品に、第１のボタンの隠し部を形成することが可能である。
なお、このようなケースへの取付部品が、腕に装着されるバンド本体と一体に形成されたブレスレットタイプのバンドにおいても、ケースへの取付部分を隠し部として兼用できる。
【００５４】
さらに、前記各実施形態では、腕時計を例示したが、これに限らず、懐中時計などにも本発明を適用でき、時計の種類は限定されない。
また、前記各実施形態では、第１のボタンおよび第２のボタンにより操作可能なものとして、ストップウォッチを例示したが、これに限らず、例えば、文字板の照明点灯、時刻やカレンダの修正、各種モード切替、アラーム設定などの操作を行うために第１のボタンおよび第２のボタンを使用してもよい。
そして、第１のボタンおよび第２のボタンを付勢する各付勢手段は前記実施形態のものに限定されず、また、その付勢力の関係は、第１および第２の付勢手段で同じ付勢力にしてもよいし、第１の付勢手段の付勢力を第２の付勢手段の付勢力よりも大きくしてもよい。
【図面の簡単な説明】
【００５５】
【図１】本発明の第１実施形態における時計の外観図。
【図２】図１のII−II線断面図。
【図３】前記実施形態におけるガラス縁および胴部を示す分解斜視図。
【図４】図２の要部拡大図。
【図５】内部ボタンの図４におけるV−V線矢視図。
【図６】図４の状態から、スタートボタンが押し込まれた状態を示す図。
【図７】本発明の第２実施形態における時計の外観図。
【図８】前記実施形態における時計の側断面図。
【図９】前記実施形態における胴部および裏蓋を示す分解斜視図。
【図１０】本発明の第３実施形態における時計の外観図。
【図１１】前記実施形態における時計の側面図。
【符号の説明】
【００５６】
１Ａ，１Ｂ，１Ｃ・・・時計、２・・・モジュール、３、７，９・・・ケース、４，８・・・バンド、３１，７１・・・胴部、３２・・・ガラス縁、３３，７３，９３・・・裏蓋、３９・・・カバーガラス、５１，６１・・・内部ボタン（第１のボタン）、５２・・・スタートボタン（第２のボタン）、６２・・・ストップボタン（第２のボタン）、８２・・・エンドピース（バンドの取付部品、隠し部）、３１１・・・開口部、３１２・・・開口部、３１３，７１３・・・側面、３２２・・・側面部（隠し部）、５１３・・・ゴム管（第１の付勢手段）、５２３・・・コイルばね（第２の付勢手段）、７３１・・・起立片（隠し部）。
【図１】
2006349505.tif 000003
【図２】
2006349505.tif 000004
【図３】
2006349505.tif 000005
【図４】
2006349505.tif 000006
【図５】
2006349505.tif 000007
【図６】
2006349505.tif 000008
【図７】
2006349505.tif 000009
【図８】
2006349505.tif 000010
【図９】
2006349505.tif 000011
【図１０】
2006349505.tif 000012
【図１１】
2006349505.tif 000013